(57)【要約】【課題】設計自由度が高い防水構造を提供する。【解決手段】一つの実施の形態に係る防水構造は、筐体と、基板と、レンズ部と、透光部材とを備える。前記筐体は、開口部が設けられた壁部を有する。前記基板は、前記筐体に収容され、前記開口部に面した電子部品が実装される。前記レンズ部は、少なくとも一部が前記開口部に収容され、前記筐体の外部に露出される。前記透光部材は、前記筐体の内側から前記壁部に固定され、前記開口部を塞ぐ。【選択図】    図２
2013187456.tif 000002
【特許請求の範囲】
【請求項１】
第１の開口部が設けられた壁部を有した第１の部材と、前記第１の部材に取り付けられて前記第１の開口部を覆った第２の部材と、を有し、前記第１の開口部に通じて外部に開口した第２の開口部が設けられた筐体と、
前記筐体に収容され、前記第１の開口部に面した電子部品が実装された基板と、
一方の端部が前記第１の開口部に収容され、他方の端部が前記第２の開口部から前記筐体の外部に露出されたレンズ部と、
前記レンズ部を前記筐体に固定するとともに、前記第１の開口部と前記第２の開口部との間に設けられて前記レンズ部の一部が配置された中間部の少なくとも一部を塞いだ防水性を有する第１の接着部と、
前記筐体の内側から前記第１の開口部を塞いだ透光部材と、
前記透光部材を前記壁部に固定した防水性を有する第２の接着部と、
を具備した防水構造。
【請求項２】
開口部が設けられた壁部を有した筐体と、
前記筐体に収容され、前記開口部に面した電子部品が実装された基板と、
少なくとも一部が前記開口部に収容され、前記筐体の外部に露出されたレンズ部と、
前記筐体の内側から前記壁部に固定され、前記開口部を塞いだ透光部材と、
を具備した防水構造。
【請求項３】
前記レンズ部を前記筐体に固定した防水性を有する第１の接着部をさらに具備した請求項２の防水構造。
【請求項４】
前記第１の接着部が、前記開口部から前記筐体の外部までの間の少なくとも一部を塞いだ請求項３に記載の防水構造。
【請求項５】
前記透光部材を前記壁部に固定した防水性を有する第２の接着部をさらに具備した請求項２または４に記載の防水構造。
【請求項６】
前記開口部に通じるとともに前記筐体の外部に開口した他の開口部が、少なくとも一部が前記開口部からずれた位置で前記筐体に設けられ、
前記レンズ部が前記他の開口部から前記筐体の外部に露出された請求項２または５に記載の防水構造。
【請求項７】
前記筐体が、前記壁部が設けられた第１の部材と、前記第１の部材に取り付けられて前記開口部を覆った第２の部材と、を有し、
前記他の開口部が、前記第１の部材と前記第２の部材とによって形成された請求項２または６に記載の防水構造。
【請求項８】
前記筐体に、前記開口部と前記他の開口部との間をつなぐ中間部が設けられ、
前記レンズ部の一部が前記中間部に配置され、
前記第１の接着部が、前記中間部の少なくとも一部を塞いだ請求項７に記載の防水構造。
【請求項９】
前記中間部が、前記筐体の前記第１の部材と前記第２の部材とによって形成され、
前記第１の接着部の一部が前記第１の部材を前記第２の部材に固定した請求項８に記載の防水構造。
【請求項１０】
前記基板に取り付けられ、前記電子部品が収容されるとともに前記開口部に向いて開口した収容部が設けられ、前記透光部材を前記壁部に押圧する押圧部材をさらに具備した請求項２または９に記載の防水構造。
【請求項１１】
前記電子部品が発光する請求項２または１０に記載の防水構造。
【請求項１２】
前記電子部品が光学センサである請求項２または１０に記載の防水構造。
【発明の詳細な説明】
【技術分野】
【０００１】
本発明の実施形態は、防水構造に関する。
【背景技術】
【０００２】
テレビ、パーソナルコンピュータ、スレートコンピュータ、ＰＤＡ（携帯情報端末）、および携帯電話のような電子機器は、防水構造であることがある。
【先行技術文献】
【特許文献】
【０００３】
【特許文献１】特開２０１０−１９３２１９号公報
【発明の概要】
【発明が解決しようとする課題】
【０００４】
防水構造である電子機器は、所望の防水性能を得るためにデザインが制限されることがある。
【０００５】
本発明の目的は、設計自由度が高い防水構造を提供することにある。
【課題を解決するための手段】
【０００６】
一つの実施の形態に係る防水構造は、筐体と、基板と、レンズ部と、透光部材とを備える。前記筐体は、開口部が設けられた壁部を有する。前記基板は、前記筐体に収容され、前記開口部に面した電子部品が実装される。前記レンズ部は、少なくとも一部が前記開口部に収容され、前記筐体の外部に露出される。前記透光部材は、前記筐体の内側から前記壁部に固定され、前記開口部を塞ぐ。
【図面の簡単な説明】
【０００７】
【図１】第１の実施の形態に係るテレビを示す斜視図。
【図２】第１の実施形態のテレビの一部を図１のＦ２−Ｆ２線に沿って示す断面図。
【図３】第１の実施形態のテレビの一部を示す正面図。
【図４】第１の実施形態のテレビの変形例を示す正面図。
【図５】第１の実施形態のレンズ部を示す正面図。
【図６】第１の実施形態のレンズ部を図５の反対側から示す正面図。
【図７】第１の実施形態のマスクの一部と透光部材とを分解して示す正面図。
【図８】第１の実施形態の透光部材および第３の両面テープを示す斜視図。
【図９】第１の実施形態のテレビの製造方法の一例を示す断面図。
【図１０】第１の実施形態のベースおよびモジュール基板を分解して示す正面図。
【図１１】第２の実施の形態に係るスレートコンピュータを示す斜視図。
【図１２】第２の実施形態のスレートコンピュータの一部を示す斜視図。
【図１３】第２の実施形態のスレートコンピュータを分解して示す斜視図。
【図１４】第２の実施形態の分解されたスレートコンピュータの一部を示す斜視図。
【図１５】第３の実施の形態に係るスレートコンピュータの一部を示す断面図。
【発明を実施するための形態】
【０００８】
以下に、第１の実施の形態について、図１から図１０を参照して説明する。なお、本明細書において、手前側（即ちユーザ側）を前方向、ユーザから見て遠い側を後方向、ユーザから見て左側を左方向、ユーザから見て右側を右方向、ユーザから見て上方を上方向、ユーザから見て下方を下方向と定義する。さらに、複数の表現が可能な各要素について一つ以上の他の表現の例を付すことがあるが、これは他の表現が付されていない要素について異なる表現がされることを否定するものではないし、例示されていない他の表現がされることを制限するものでもない。
【０００９】
図１は、テレビ受像機（以下、「テレビ」と称する）１０を示す斜視図である。テレビ１０は、電子機器であり、防水構造の一例である。図１に示すように、テレビ１０は、テレビ本体（テレビ、テレビ受像機、本体、表示装置）１２と、スタンド１３とを備えている。スタンド１３は、テレビ本体１２に回動可能に連結されている。スタンド１３は、テレビ台のような載置面（外部面、平面、面）に載置され、テレビ本体１２を支持している。
【００１０】
テレビ本体１２は、筐体（キャビネット、外装部、壁）１５と、ディスプレイモジュール（表示装置、表示部、電子部品、部品）１６とを備えている。ディスプレイモジュール１６は、例えば液晶ディスプレイである。なお、ディスプレイモジュール１６はこれに限らず、プラズマディスプレイや有機ＥＬディスプレイであっても良い。ディスプレイモジュール１６は、筐体１５に収容されている。
【００１１】
図２は、図１のＦ２−Ｆ２線に沿ってテレビ１０の一部を示す断面図である。筐体１５は、前面２１と、側面（外面、表面、側壁、壁部、壁）２２を有している。該側面２２は、ユーザから見て右側に位置する。図２に示すように、前面２１に、矩形状のディスプレイ開口２６が設けられている。言い換えると、前面２１は、ディスプレイ開口２６を囲む枠状に形成されている。ディスプレイ開口２６は、画像が表示されるディスプレイモジュール１６の表示面を露出させる。
【００１２】
側面２２は、前面２１と交差するように設けられている。側面２２の一部は、前面２１から後方に向かうに従ってテレビ本体１２の中央部に近づくように傾斜している。側面２２には、インターフェース部２７が設けられている。インターフェース部２７は、側面２２から突出するように形成されている。
【００１３】
インターフェース部２７には、例えばチャンネル切り替えボタン、音量調節ボタンのような、複数のボタン（スイッチ、操作部、部品、部材、入力部）と、例えばＢ−ＣＡＳカードのようなカードが挿入される開口と、例えばＵＳＢ端子や、ＨＤＭＩ端子が挿入される複数の開口とが設けられている。
【００１４】
筐体１５は、前面２１の反対側に位置する後面や、図２に示すような下面２９をさらに有する。下面２９は、前面２１と交差するように設けられている。前記後面には、例えば複数の通気口が設けられるとともに、スタンド１３が固定されている。下面２９には、例えば音声を流すための複数のスピーカー開口が設けられている。
【００１５】
図２に示すように、筐体１５は、マスク（カバー、被覆部、外装部、部材、部分）３１と、ベース（カバー、基部、外装部、部材、部分）３２とを有している。マスク３１は、第１の部材の一例である。
【００１６】
マスク３１およびベース３２は、例えば合成樹脂によってそれぞれ形成されている。マスク３１は、筐体１５の前面２１の少なくとも一部を形成している。ベース３２は、側面２２、下面２９、および前記後面を形成している。
【００１７】
ベース３２は、筐体１５の下面２９を形成する側壁（壁、側面部）３４を有している。側壁３４には、ボタン開口（孔、凹部、挿通部）３５が設けられている。ボタン開口３５に、ボタン部材（操作部、入力部）３６が挿通されている。ボタン部材は、例えば電源ボタンである。ボタン部材３６の一端は、筐体１５の外部に露出している。ボタン部材３６の他端は、筐体１５の内側から側壁３４に係合し、ボタン部材３６がボタン開口３５から筐体１５の外に抜けることを防いでいる。
【００１８】
キーパッド３８が、筐体１５の内側から、ボタン開口３５およびボタン部材３６の前記他端を覆っている。キーパッド３８は、例えばシリコンゴムのような合成ゴムによって形成されている。キーパッド３８は、側壁３４に水密に当接しており、ボタン開口３５を塞いでいる。
【００１９】
キーパッド３８は、筐体１５の内部に向かって突出した突出部３９を有している。ボタン部材３６がユーザによって筐体１５の外側から押されると、キーパッド３８が弾性変形する。これにより、突出部３９が筐体１５の内部に向かって弾性的に変位する。
【００２０】
筐体１５の内部に、固定部材４１が取り付けられている。固定部材４１は、例えばＬ字状に曲げられた金属板によって形成されている。固定部材４１は、取付部４２と、保持部４３とを有している。
【００２１】
取付部４２は、矩形状に形成され、例えば溶着によって筐体１５に固定されている。保持部４３は、矩形状に形成され、取付部４２と略直交している。保持部４３は、筐体１５の内側から側壁３４に面し、キーパッド３８の一部を側壁３４に向かって押圧する。これにより、キーパッド３８は側壁３４と保持部４３との間に挟まれ、側壁３４に水密に当接する。
【００２２】
筐体１５に、メイン基板（マザーボード、部品）４７と、モジュール基板（ドーターボード、配線板、回路板、部品）４８とが収容されている。モジュール基板４８は、基板の一例である。
【００２３】
メイン基板４７は、例えばプリント配線板である。メイン基板４７に、例えばＬＳＩのような種々の電子部品が実装されている。メイン基板４７は、例えばスペーサを介してディスプレイモジュール１６に取り付けられるとともに、例えばケーブルによってモジュール基板４８に接続されている。
【００２４】
モジュール基板４８の少なくとも一部は、筐体１５の内側からマスク３１に面している。モジュール基板４８は、側壁３４と略直交するように配置されている。モジュール基板４８は、メイン基板４７よりも側壁３４に近い。
【００２５】
モジュール基板４８は、第１の面（領域、部分）５１と、第２の面（領域、部分）５２とを有している。第１の面５１は、マスク３１に面している。第２の面５２は、第１の面５１の反対側に位置している。第２の面５２に、スイッチ５４およびコンデンサのような種々の電子部品が実装されている。
【００２６】
スイッチ５４は、ボタン開口３５に向かって突出する操作部５５を有している。操作部５５が押されることで、スイッチ５４は操作される。操作部５５の先端は、キーパッド３８の突出部３９の先端に接している。ボタン部材３６がユーザによって押されると、弾性的に変位するキーパッド３８の突出部３９によって、操作部５５が押される。これにより、スイッチ５４が操作される。
【００２７】
図２に示すように、マスク３１は、壁部（部分、壁、領域）６１と、縁部（外縁、枠部、隆起部、突出部）６２とを有している。壁部６１は、ディスプレイ開口２６を囲む枠状に形成されている。縁部６２は、壁部６１を囲む枠状に形成されている。
【００２８】
壁部６１は、略平坦な外面（一方の面、第１の面、領域）６５と、略平坦な内面（他方の面、第２の面、領域）６６とを有している。外面６５は、筐体１５の外部に向いている。内面６６は、外面６５の反対側に位置し、筐体１５の内部に向いている。内面６６は、モジュール基板４８の少なくとも一部に面している。
【００２９】
壁部６１の外面６５に、透光性のパネル（板、保護部、被覆部、透光部）６８が取り付けられている。パネル６８は、第２の部材の一例であり、例えばガラス板である。パネル６８は、ディスプレイ開口２６を覆っており、筐体１５の前面２１の一部を形成している。ディスプレイモジュール１６の前記表示部は、パネル６８越しに筐体１５の外部に露出される。
【００３０】
壁部６１の外面６５とパネル６８との間に、第１の両面テープ（接着部、接着層、貼着部、固定部、取付部、防水部、浸水抑制部）７１が介在している。第１の両面テープ７１は、第１の接着部の一例である。第１の両面テープ７１は、壁部６１の外面６５に対応した枠状に形成されている。
【００３１】
パネル６８は、第１の両面テープ７１によって外面６５に固定される。なお、第１の両面テープ７１に限らず、例えば接着剤または他の合成樹脂が外面６５にパネル６８を固定しても良い。第１の両面テープ７１は、防水性を有しており、壁部６１の外面６５とパネル６８との間の隙間から筐体１５の内部に液体が浸入することを抑制する。
【００３２】
壁部６１に、複数の第１の開口部（開口、孔、凹部）７３と、複数の溝部（窪み、凹部）７４とが設けられている。第１の開口部７３は、開口部の一例である。なお、図２には一つの第１の開口部７３および一つの溝部７４のみを示す。以下、特段の説明がなければ、一つの第１の開口部７３および一つの溝部７４について代表して説明する。
【００３３】
第１の開口部７３は、外面６５から内面６６に亘ってそれぞれ開口している。第１の開口部７３の少なくとも一部は、パネル６８によって覆われている。溝部７４は、外面６５に設けられている。溝部７４の少なくとも一部は、パネル６８によって覆われている。
【００３４】
図３は、テレビ１０の一部を示す正面図である。図３に破線で示すように、溝部７４の一方の端部は、第１の開口部７３に続いている。溝部７４は、第１の開口部７３から縁部６２に向かって延びている。言い換えると、溝部７４は、ディスプレイ開口２６から離れる方向に延びている。溝部７４は、図３に示すように複数個所で曲がっていても良い。
【００３５】
溝部７４の他方の端部はそれぞれ、縁部６２に切欠き部（穴、溝、窪み、凹部）７６を形成している。切欠き部７６は、略Ｕ字状に形成されている。図２に示すように、溝部７４の底面７４ａに、筐体１５の外部に向かって隆起した段部（凸部、突出部、隆起部）７７が形成されている。図３に示すように、複数の溝部７４は、連結溝７５によって互いに連結されている。
【００３６】
図２に示すように、縁部６２は、壁部６１の外面６５から突出している。縁部６２の内縁（縁、内周縁、端部）６２ａは、パネル６８の外縁（縁、外周縁、端部）６８ａと対向している。
【００３７】
パネル６８の外縁６８ａと、縁部６２に形成された切欠き部７６は、第２の開口部７８を形成している。言い換えると、マスク３１とパネル６８とによって、第２の開口部７８が形成される。第２の開口部７８は、他の開口部の一例である。なお、第２の開口部７８はこれに限らず、パネル６８のような他の箇所に設けられても良い。
【００３８】
第２の開口部７８は、筐体１５の外部に開口している。第２の開口部７８は、第１の開口部７３と異なる形状を有する。なお、第１および第２の開口部７３，７８のそれぞれの形状が同じであっても良い。
【００３９】
図３に示すように、第２の開口部７８は、第１の開口部７３からずれた位置に設けられている。言い換えると、前面２１を正面から見たときに、第２の開口部７８の少なくとも一部が第１の開口部７３から外れている。
【００４０】
図４は、テレビ１０の変形例を示す正面図である。図４に示すように、第１の開口部７３と第２の開口部７８の一部とが重なっていても良い。図３および図４に示すように、第２の開口部７３の少なくとも一部が、第１の開口部７３からずれた位置に設けられる。
【００４１】
図２に示すように、パネル６８と、壁部６１の外面６５に設けられた溝部７４とによって、中間部（穴、隙間、通路、領域）８１が形成されている。言い換えると、中間部８１は、溝部７４が設けられたマスク３１と、溝部７４を覆うパネル６８とによって形成されている。中間部８１は、第１の開口部７３と第２の開口部７８とをつないでいる。言い換えると、第２の開口部７８は、中間部８１を介して第１の開口部７３に通じている。さらに別の表現をすると、中間部８１は、第１の開口部７３から筐体１５の外部までの間に設けられる。
【００４２】
図５は、レンズ部８３を示す斜視図である。図６は、レンズ部８３を図５の反対側から示す斜視図である。図２に示すように、マスク３１に、複数のレンズ部（透光部、導光部、反射部、部材）８３が取り付けられている。
【００４３】
レンズ部８３の一部は、中間部８１に収容されている。図５および図６に示すように、複数のレンズ部８３の一部（接続部、中間部、導光部）は、それぞれ対応する中間部８１の形状に応じた板状に形成されている。
【００４４】
例えば図５における左側のレンズ部８３（便宜上、「レンズ部８３Ａ」と称する）は、一方の端部８３ａから縁部６２に沿って延びる矩形状の部分と、該部分と直交するとともに他方の端部８３ｂに向かって延びる矩形状の他の部分と、該部分と該他の部分とが交差する部分から突出する部分と、を有している。レンズ部８３Ａの前記部分と前記他の部分とが交差する部分において、該突出する部分の反対側は面取りされている。
【００４５】
図５における真ん中のレンズ部８３（便宜上、「レンズ部８３Ｂ」と称する）は、縁部６２に沿って一方の端部８３ａから延びる矩形状の部分と、該部分に対して斜めに延びた部分と、前記矩形状の部分に対して直交する方向に向かって該斜めに延びた部分の端部から延びた矩形状の他の部分と、を有している。前記斜めに向かって延びた部分は、略中間部で曲がっている。前記斜めに向かって延びた部分は、他方の端部８３ｂが存する方向に突出する部分を有している。
【００４６】
図５における右側のレンズ部８３（便宜上、「レンズ部８３Ｃ」と称する）は、一方の端部８３ａから縁部６２の外周に向かって延びる矩形状の部分と、該部分に接続されて該部分より大きい矩形状の部分と、該大きい矩形状の部分から他方の端部８３ｂに向かって延びる矩形状の他の部分と、を有している。前記部分と前記大きい矩形状の部分とが接続される部分は、前記部分が延びる方向に対して傾斜している。
【００４７】
各レンズ部８３Ａ，８３Ｂ，８３Ｃは、上記のように矩形状の部分、斜めに延びる部分、突出する部分をそれぞれ有している。言い換えると、各レンズ部８３Ａ，８３Ｂ，８３Ｃは、それぞれうねる（波状の、曲がりくねった）形状を有している。これにより、レンズ部８３の一方の端部８３ａから入った光は、各部分で反射し、レンズ部８３の他方の端部８３ｂに向かう。
【００４８】
各レンズ部８３Ａ，８３Ｂ，８３Ｃの突出する部分は、中間部８１に係合する。これにより、各レンズ部８３Ａ，８３Ｂ，８３Ｃが安定的に中間部８１に嵌り、レンズ部８３のがたつきが抑制される（図１４参照）。
【００４９】
レンズ部８３の一方の端部（入光部、出光部）８３ａは、レンズ部８３の板状の一部の一方の面から突出している。レンズ部８３の他方の端部（出光部、入光部）８３ｂは、レンズ部８３の板状の一部の他方の面から突出している。言い換えると、レンズ部８３の一方の端部８３ａは、レンズ部８３の他方の端部８３ｂの反対方向に突出している。
【００５０】
レンズ部８３の一方の端部８３ａおよび他方の端部８３ｂの近傍において、傾斜部（屈折部、反射部）８３ｃが形成されている。傾斜部８３ｃは、レンズ部８３の一方の端部８３ａから入った光を、他方の端部８３ｂに向かって反射させる。
【００５１】
複数のレンズ部８３は、連結部８４によって連結されている。連結部８４は、レンズ部８３の板状の一部に接続されている。複数のレンズ部８３と連結部８４とは、一体に形成されている。
【００５２】
連結部８４は、レンズ部８３よりもマスク３１の内側に位置する。連結部８４は、縁部６２に沿って延びる矩形状の部分と、該部分から該部分と直交する方向にそれぞれ延びる三つの他の部分とを有する。該他の部分は、レンズ部８３の他方の端部８３ｂの反対側からレンズ部８３にそれぞれ連結される。
【００５３】
レンズ部８３は、例えば透光性の樹脂によって形成されている。レンズ部８３の一方の端部８３ａおよび他方の端部８３ｂから光が出入りするとともに、該光はレンズ部８３の内部で反射する。このため、レンズ部８３の一方の端部８３ａから入った光は、レンズ部８３の他方の端部８３ｂから出る。
【００５４】
レンズ部８３は、第２の両面テープ（接着部、接着層、貼着部、固定部、取付部、防水部、浸水抑制部）８５によって、溝部７４の底面７４ａに貼り付けられている。言い換えると、第２の両面テープ８５は、レンズ部８３と、溝部７４との間に介在している。第２の両面テープ８５は、第１の接着部の一例である。なお、第２の両面テープ８５に限らず、例えば接着剤または他の合成樹脂が溝部７４にレンズ部８３を固定しても良い。第２の両面テープ８５は、防水性を有しており、溝部７４とレンズ部８３との間の隙間から筐体１５の内部に液体が浸入することを抑制する。
【００５５】
レンズ部８３の一部に、第１の両面テープ７１の一部が貼り付いている。レンズ部８３は、第１の両面テープ７１によって、パネル６８に固定されている。すなわち、第１の両面テープ７１は、パネル６８をマスク３１に固定するとともに、レンズ部８３をパネル６８に固定する。
【００５６】
レンズ部８３が配置された中間部８１は、第１の両面テープ７１と、第２の両面テープ８５とによって、一部が塞がれている。すなわち、レンズ部８３とパネル６８との間の隙間は第１の両面テープ７１によって塞がれ、レンズ部８３と溝部７４の底面７４ａとの間の隙間の一部は第２の両面テープ８５によって塞がれる。言い換えると、中間部８１とレンズ部８３との間の隙間は、第１および第２の両面テープ７１，８５とによって狭められる。
【００５７】
レンズ部８３の一方の端部８３ａは、第１の開口部７３に収容されている。レンズ部８３の一方の端部８３ａは、第１の開口部７３から筐体１５の内部に露出されている。レンズ部８３の一方の端部８３ａは、壁部６１の内面６６と略同一平面を形成する。
【００５８】
レンズ部８３の他方の端部８３ｂの一部は、第２の開口部７８に収容されている。レンズ部８３の他方の端部８３ｂは、第２の開口部７８から筐体１５の外部に露出されている。レンズ部８３の他方の端部８３ｂは、縁部６２の外面から突出している。このため、他方の端部８３ｂはユーザから視認しやすい。なお、レンズ部８３の他方の端部８３ｂは、縁部６２の外面から凹んでいても良い。
【００５９】
図７は、マスク３１の一部と透光部材９１とを分解して示す斜視図である。図７に示すように、壁部６１の内面６６に、透光部材（透光部、被覆部、閉塞部、防水部、浸水抑制部）９１が取り付けられている。透光部材９１は、例えばポリエチレンテレフタレートによって形成された透光性のフィルムである。透光部材９１は、液体を通さずに塞き止める。
【００６０】
図２に示すように、透光部材９１は、第１の開口部７３を覆って、壁部６１の内面６６に面している。透光部材９１は、一つの第３の両面テープ（接着部、接着層、貼着部、固定部、取付部、防水部、浸水抑制部）９２によって、内面６６に固定されている。言い換えると、第３の両面テープ９２は、内面６６と透光部材９１との間に介在している。第３の両面テープ９２は、第２の接着部の一例である。なお、第３の両面テープ９２に限らず、例えば接着剤または他の合成樹脂が内面６６に透光部材９１を固定しても良い。
【００６１】
第３の両面テープ９２は、防水性を有しており、壁部６１の内面６６と透光部材９１との間の隙間から筐体１５の内部に液体が浸入することを抑制する。このように、透光部材９１は、筐体１５の内側から第１の開口部７３を塞いでいる。
【００６２】
図８は、透光部材９１および第３の両面テープ９２を示す斜視図である。図８に示すように、第３の両面テープ９２には複数の孔（開口、透光部）９４が設けられている。孔９４は、第１の開口部７３に対応する位置に設けられており、第１の開口部７３よりも大きい。
【００６３】
透光部材９１は、略矩形状に形成されている。透光部材９１のいくつかの角部９１ａは凹んでいる。図７に示すように、壁部６１の内面６６に、一対の凸部９５が設けられている。透光部材９１の凹んだ角部９１ａは、凸部９５にそれぞれ係合する。凸部９５は、透光部材９１の位置決めに利用される。
【００６４】
図２に示すように、モジュール基板４８の第１の面５１に、複数のＬＥＤ（部品、実装部品、発光素子）９６が実装されている。ＬＥＤ９６は、電子部品の一例である。ＬＥＤ９６は、第１の開口部７３に対応して配置されている。ＬＥＤ９６は、第１の開口部７３に面している。さらに、ＬＥＤ９６は、透光部材９１越しに、第１の開口部７３に収容されたレンズ部８３の一方の端部８３ａに面している。
【００６５】
ＬＥＤ９６は、通電により発光する。なお、電子部品はＬＥＤ９６に限らず、例えば、有機ＥＬのような発光する他の電子部品、または照度センサおよびＣＭＯＳセンサのような光学センサであっても良い。
【００６６】
モジュール基板４８の第１の面５１に、押圧部材（遮光部、介在部、収容部）９７が取り付けられている。押圧部材９７は、例えば黒色のスポンジである。押圧部材９７に、複数の収容部（孔、開口部、挿通部）９８が設けられている。収容部９８は、第１の開口部７３に向いて開口し、第１の開口部７３よりも大きい孔である。収容部９８に、ＬＥＤ９６がそれぞれ収容されている。すなわち、押圧部材９７は、ＬＥＤ９６を囲んでいる。
【００６７】
図２に示すように、収容部９８は、押圧部材９７の幅方向において中央よりもモジュール基板４８の中央に近い。言い換えると、収容部９８の周りにおいて、押圧部材９７のモジュール基板４８の中央に近い部分は、押圧部材９７のモジュール基板４８の中央から遠い部分よりも薄く形成される。
【００６８】
押圧部材９７は、モジュール基板４８と、壁部６１との間に介在している。押圧部材９７は、透光部材９１に当接し、透光部材９１を壁部６１に押圧する。さらに、押圧部材９７は、ＬＥＤ９６が発する光が筐体１５の内部に漏れることを抑制する。
【００６９】
以下に、図９および図１０を参照して、テレビ１０の製造方法の一部について例示する。なお、テレビ１０の製造方法は、以下の方法に限らない。図９は、テレビ１０の製造方法の一例を示すテレビ１０の断面図である。図１０は、ベース３２およびモジュール基板４８を分解して示す斜視図である。
【００７０】
まず、マスク３１の溝部７４の底面７４ａに、第２の両面テープ８５を貼り付ける。次に、図９の矢印Ａ１で示すように、レンズ部８３を溝部７４に嵌め込み、第２の両面テープ８５によってレンズ部８３を溝部７４に固定する。
【００７１】
次に、図９の矢印Ａ２で示すように、第１の両面テープ７１が貼り付けられたパネル６８を、マスク３１の縁部６２の内側に嵌め込む。パネル６８は、第１の両面テープ７１によって、壁部６１の外面６５に固定される。同時に、第１の両面テープ７１によって、レンズ部８３がパネル６８に固定される。
【００７２】
次に、図９の矢印Ａ３で示すように、第３の両面テープ９２が貼り付けられた透光部材９１を、壁部６１の内面６６に固定する。図７に示すように、透光部材９１を壁部６１に固定するときに、透光部材９１の角部９１ａを凸部９５に係合させる。これにより、第１の開口部７３が透光部材９１に塞がれる。
【００７３】
次に、図１０に示すように、ベース３２にモジュール基板４８を取り付ける。ベース３２には、一対のボス（取付部、固定部、支持部）１０１，１０２と、リブ（係合部、凸部）１０３とが設けられている。ボス１０１，１０２およびリブ１０３は、それぞれベース３２の底部から、マスク３１に向かって突出している。リブ１０３は、ボス１０２と一体に設けられている。
【００７４】
モジュール基板４８に、一対のネジ孔（孔、取付部、固定部）１０５と、スリット（溝、凹部、係合部）１０６とが設けられている。ネジ孔１０５は、ボス１０１，１０２に対応している。スリット１０６は、リブ１０３に対応している。
【００７５】
モジュール基板４８はボス１０１，１０２に載置される。この際、モジュール基板４８のスリット１０６に、リブ１０３が嵌り込む。さらに、モジュール基板４８に実装されたスイッチ５４の操作部５５が、それぞれキーパッド３８の突出部３９に面する。
【００７６】
例えばネジのような固定具１０８が、ネジ孔１０５を通ってボス１０１，１０２にそれぞれねじ込まれる。これにより、モジュール基板４８がベース３２のボス１０１，１０２に固定される。なお、モジュール基板４８はこれに限らず、爪を用いた固定のような他の方法によってベース３２に取り付けられても良い。
【００７７】
次に、図９の矢印Ａ４で示すように、マスク３１をベース３２に取り付ける。マスク３１は、例えば爪やネジによって、ベース３２に固定される。これにより、押圧部材９７が透光部材９１に弾性的に当接し、透光部材９１を壁部６１に押圧する。テレビ１０は、以上のような工程を経て製造される。
【００７８】
前記構成のテレビ１０によれば、ＬＥＤ９６が発した光は、透光部材９１を通過して、レンズ部８３の一方の端部８３ａに入る。該光は、第１の開口部７３と第２の開口部７８との間に設けられた中間部８１に配置されたレンズ部８３の内側で反射し、レンズ部８３の他方の端部８３ｂから出る。すなわち、ＬＥＤ９６が発光すると、レンズ部８３の他方の端部８３ｂが光る。レンズ部８３の他方の端部８３ｂを光らせることで、例えばテレビ１０はユーザに、電源のオンまたはオフ、録画または視聴予約のオンまたはオフ、通信状態、および処理状態のような、各種状態を通知する。
【００７９】
第２の開口部７８の周囲に水のような液体がかかった場合、該液体は第２の開口部７８に入ることがある。中間部８１の一部が第１および第２の両面テープ７１，８５によって塞がれているため、浸入した液体の少なくとも一部が中間部８１で塞き止められる。中間部８１を通過した液体は、透光部材９１および第３の両面テープ９２によって塞き止められる。透光部材９１および第３の両面テープ９２によって塞き止められた液体は、例えばＬＥＤ９６や他の電子部品が発する熱により蒸発し、第２の開口部７８から筐体１５の外に排出される。
【００８０】
上記のように、第１の開口部７３が、筐体１５の内側から壁部６１に固定された透光部材９１によって塞がれている。これにより、水のような液体が第１の開口部７３から筐体１５の内部に浸入することを抑制できる。すなわち、レンズ部８３が筐体１５の外部に露出するようなデザインのテレビ１０であっても液体の浸入を抑制できる。したがってレンズ部８３を筐体１５の外部から水密に覆う必要がなくなり、防水構造であるテレビ１０の設計自由度が向上する。
【００８１】
一方の端部８３ａが第１の開口部７３に収容されたレンズ部８３は、防水性を有する第１および第２の両面テープ７１，８５によって、筐体１５に固定される。これにより、レンズ部８３が固定された部分が防水され、テレビ１０の防水性が向上する。さらに、第１および第２の両面テープ７１，８５によってレンズ部８３を固定することで、レンズ部８３の振動を抑制できる。
【００８２】
第１および第２の両面テープ７１，８５が、中間部８１とレンズ部８３との間の隙間の少なくとも一部を塞ぐ。これにより、中間部８１とレンズ部８３との間の隙間から筐体１５の内部に水のような液体が浸入することを抑制できる。
【００８３】
透光部材９１は、防水性を有する第３の両面テープ９２によって壁部６１に固定されている。これにより、透光部材９１が壁部６１に固定された部分が防水され、テレビ１０の防水性が向上する。
【００８４】
第２の開口部７８の少なくとも一部が、第１の開口部７３からずれた位置に設けられている。これにより、第２の開口部７８から第１の開口部７３までの間で、水のような液体が留まりやすくなる。したがって、水のような液体が筐体１５の内部に浸入することを抑制できる。
【００８５】
第２の開口部７８は、縁部６２に設けられた切欠き部７６と、パネル６８とによって形成される。これにより、レンズ部８３が取り付けやすくなり、テレビ１０を容易に製造することができる。
【００８６】
筐体１５に、第１の開口部７３と第２の開口部７８との間をつなぐ中間部８１が設けられている。第１および第２の両面テープ７１，８５は、中間部８１の少なくとも一部を塞ぐ。これにより、中間部８１とレンズ部８３との間の隙間から筐体１５の内部に水のような液体が浸入することを抑制できる。
【００８７】
中間部８１は、溝部７４が設けられたマスク３１と、溝部７４を覆うパネル６８とによって形成される。第１の両面テープ７１は、マスク３１にパネル６８を固定するとともに、パネル６８にレンズ部８３を固定する。これにより、テレビ１０の材料費の増加を抑制するとともに、製造工程の増加を抑制できる。
【００８８】
ＬＥＤ９６を収容する収容部９８が設けられた押圧部材９７は、透光部材９１を壁部６１に押圧している。これにより、透光部材９１が壁部６１から剥離することを抑制するとともに、透光部材９１と壁部６１との間から水のような液体が筐体１５の内部に侵入することを抑制できる。さらに、押圧部材９７はＬＥＤ９６の光漏れも抑制するため、テレビ１０の材料費の増加を抑制できる。
【００８９】
溝部７４に、段部７７が設けられている。これにより、段部７７で水のような液体が留まりやすくなる。したがって、水のような液体が筐体１５の内部に浸入することを抑制できる。
【００９０】
収容部９８の周りにおいて、押圧部材９７のモジュール基板４８の中央に近い部分は、押圧部材９７のモジュール基板４８の中央から遠い部分よりも薄く形成される。これにより、モジュール基板４８の電子部品が実装可能な領域を広く形成することができる。
【００９１】
ＬＥＤ９６が発光することでレンズ部８３の他方の端部８３ｂが光る。このように、筐体１５の内部に水のような液体が浸入することを防止した上で、筐体１５の外部に露出したレンズ部８３の他方の端部８３ｂを光らせることができる。
【００９２】
なお、テレビ１０はＬＥＤ９６の代わりに、例えば照度センサおよびＣＭＯＳセンサのような光学センサを有しても良い。該光学センサを有するテレビ１０は、筐体１５の内部に水のような液体が浸入することを防止した上で、例えば筐体１５の外部の明るさを検知したり、筐体１５の外部の映像を撮影したりできる。
【００９３】
次に、図１１ないし図１４を参照して、第２の実施の形態について説明する。なお、以下に開示する実施形態において、第１の実施形態のテレビ１０と同一の機能を有する構成部分には同一の参照符号を付す。さらに、当該構成部分については、その説明を一部または全て省略することがある。
【００９４】
図１１は、第２の実施の形態に係るスレートコンピュータ（パーソナルコンピュータ、タブレットＰＣ、電子機器）１３１を示す斜視図である。図１２は、スレートコンピュータの一部を拡大して示す斜視図である。スレートコンピュータ１３１は、防水構造の一例である。
【００９５】
図１１に示すように、スレートコンピュータ１３１は、筐体１５を備えている。筐体１５は、筐体１５の前面２１を形成するマスク３１と、ベース３２とを有している。ベース３２は、筐体１５の側面を形成する側壁３４を有している。
【００９６】
筐体１５の前面２１に、カメラ部（部分、領域）１３３が設けられている。カメラ部１３３には、カメラ開口１３４と、フラッシュ開口１３５と、センサ開口１３６とがそれぞれ設けられている。
【００９７】
図１３は、スレートコンピュータ１３１を分解して示す斜視図である。図１３に示すように、カメラ部１３３は、パネル６８に設けられている。パネル６８は、例えばガラスパネルに静電気式のタッチパネルを取り付けることで形成される。
【００９８】
カメラ開口１３４は、筐体１５の内部に収容されたカメラユニット１３８の少なくとも一部を露出させる。カメラユニット１３８は、ＣＭＯＳセンサのような光学センサおよびレンズを有している。フラッシュ開口１３５は、例えばレンズ１３９を露出させる。レンズ１３９は、筐体１５の内部に収容されたＬＥＤのような発光素子によって光らせられる。センサ開口１３６は、例えば他のレンズ１４０を露出させる。レンズ１４０は、筐体１５の内部に収容された照度センサのような光学センサに、筐体１５の外部の光を導く。
【００９９】
図１２に示すように、側壁３４から、例えば電源ボタンであるボタン部材３６が突出している。第１の実施形態と同様に、ボタン部材３６は側壁３４に設けられたボタン開口３５に挿通されており、該ボタン開口３５はキーパッド３８に塞がれている。キーパッド３８は、固定部材４１の保持部４３によって、側壁３４に押圧されている。
【０１００】
パネル６８と、縁部６２に設けられた切欠き部７６とによって、三つの第２の開口部７８が形成されている。第２の開口部７８から、レンズ部８３の他方の端部８３ｂがそれぞれ露出されている。パネル６８に、第２の開口部７８から露出されたレンズ部８３にそれぞれ対応する複数の図形が表示されている。
【０１０１】
図１４は、分解されたスレートコンピュータ１３１の一部を拡大して示す斜視図である。図１４に示すように、パネル６８に面するレンズ部８３の一部は、壁部６１の外面６５と略同一平面を形成する。
【０１０２】
前記構成のスレートコンピュータ１３１によれば、第１の実施形態と同様に、第１の開口部７３が、筐体１５の内側から壁部６１に固定された透光部材９１によって塞がれている。これにより、水のような液体が第１の開口部７３から筐体１５の内部に浸入することを抑制できる。すなわち、レンズ部８３が筐体１５の外部に露出するようなデザインのスレートコンピュータ１３１であっても液体の浸入を抑制でき、防水構造であるスレートコンピュータ１３１の設計自由度が向上する。
【０１０３】
上記のように、防水構造はテレビ１０やスレートコンピュータ１３１に限らず、例えば、ポータブルコンピュータ、ＰＤＡ（携帯情報端末）、携帯電話、およびスマートフォンのような他の種類の電子機器であっても良い。
【０１０４】
次に、図１５を参照して、第３の実施の形態について説明する。図１５は、第３の実施形態のスレートコンピュータ１３１の一部を示す断面図である。第３の実施形態において、センサ開口１３６は第２の開口部の一例であり、レンズ１４０はレンズ部の一例である。
【０１０５】
モジュール基板４８の第１の面５１に、照度センサ１４５が実装されている。照度センサ１４５は、電子部品および光学センサの一例である。照度センサ１４５は、第１の開口部７３に面している。
【０１０６】
レンズ１４０は、第１の開口部７３とセンサ開口１３６との間に設けられた中間部８１に配置される。レンズ１４０の一方の端部１４０ａは第１の開口部７３に収容され、他方の端部１４０ｂはセンサ開口１３６から筐体１５の外部に露出される。
【０１０７】
前記構成のスレートコンピュータ１３１によれば、第１の実施形態と同様に、第１の開口部７３が、筐体１５の内側から壁部６１に固定された透光部材９１によって塞がれている。これにより、レンズ１４０が筐体１５の外部に露出するようなデザインのスレートコンピュータ１３１であっても液体の浸入を抑制でき、防水構造であるスレートコンピュータ１３１の設計自由度が向上する。
【０１０８】
上記のように、第２の開口部は、ＬＥＤ９６によって光るレンズ部８３が露出する第２の開口部７８、照度センサ１１１に光を導くレンズ１４０が露出するセンサ開口１３６、および他の開口部であっても良い。第２の開口部は、例えば、カメラユニット１３８を露出させるカメラ開口１３４、および発光素子によって光るレンズ１３９が露出するフラッシュ開口１３５のような他の開口部であっても良い。
【０１０９】
本明細書において述べた「防水」は、液体の浸入を完全に遮断することに限らない。「防水」は、例えば、液体の浸入を抑制すること、パッキング、液体を塞き止めること、堰、隙間を塞ぐこと、および水の進行を一部（一時）でも阻止できること、のような意味を包含する。さらに言えば、「防水」には単なる「流路内の括れ」も含まれる。
【０１１０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【０１１１】
例えば、上記実施形態において、マスク３１およびパネル６８が、それぞれ第１の部材および第２の部材の一例であったが、本発明はこれに限らない。例えば、ベース３２が第１の部材の一例で、マスク３１が第２の部材の一例であっても良い。
【０１１２】
さらに、第１および第２の両面テープ７１，８５が中間部８１を完全に塞いでも良い。また、第１の開口部７３と第２の開口部７８とが重なっていても良い。電子部品はＬＥＤ９６のような発光する部品や照度センサ１１１のような光学センサに限らず、コネクタやスピーカーのような他の部品であっても良い。
【符号の説明】
【０１１３】
１０…テレビ、１５…筐体、３１…マスク、４８…モジュール基板、６１…壁部、６８…パネル、７１…第１の両面テープ、７３…第１の開口部、７８…第２の開口部、８１…中間部、８３…レンズ部、８３ａ…一方の端部、８３ｂ…他方の端部、８５…第２の両面テープ、９１…透光部材、９２…第３の両面テープ、９６…ＬＥＤ、９７…押圧部材、９８…収容部、１３１…スレートコンピュータ、１３６…センサ開口、１４０…レンズ、１４５…照度センサ。
【図１】
2013187456.tif 000003
【図２】
2013187456.tif 000004
【図３】
2013187456.tif 000005
【図４】
2013187456.tif 000006
【図５】
2013187456.tif 000007
【図６】
2013187456.tif 000008
【図７】
2013187456.tif 000009
【図８】
2013187456.tif 000010
【図９】
2013187456.tif 000011
【図１０】
2013187456.tif 000012
【図１１】
2013187456.tif 000013
【図１２】
2013187456.tif 000014
【図１３】
2013187456.tif 000015
【図１４】
2013187456.tif 000016
【図１５】
2013187456.tif 000017
【手続補正書】
【提出日】平成25年6月14日(2013.6.14)
【手続補正１】
【補正対象書類名】特許請求の範囲
【補正対象項目名】全文
【補正方法】変更
【補正の内容】
【特許請求の範囲】
【請求項１】
第１の開口部が設けられた壁部を有した第１の部材と、前記第１の部材に取り付けられて前記壁部の外部から前記第１の開口部を覆った第２の部材と、を有し、前記第１の開口部に通じて外部に開口した第２の開口部が、少なくとも一部が前記第１の開口部からずれた位置で設けられた筐体と、
前記筐体に収容され、前記第１の開口部に面した電子部品が実装された基板と、
一方の端部が前記第１の開口部に収容され、他方の端部が前記第２の開口部から前記筐体の外部に露出されたレンズ部と、
前記レンズ部を前記筐体に固定するとともに、前記第１の開口部と前記第２の開口部との間に設けられて前記レンズ部の一部が配置された中間部の少なくとも一部を塞いだ防水性を有する第１の接着部と、
前記筐体の内側から前記第１の開口部を塞いだ透光部材と、
前記透光部材を前記壁部に固定した防水性を有する第２の接着部と、
を具備した防水構造。
【請求項２】
第１の開口部が設けられた壁部を有した第１の部材と、前記第１の部材に取り付けられて前記壁部の外部から前記第１の開口部を覆った第２の部材と、を有し、前記第１の開口部に通じるとともに前記筐体の外部に開口した第２の開口部が、少なくとも一部が前記第１の開口部からずれた位置で設けられた筐体と、
前記筐体に収容され、前記第１の開口部に面した電子部品が実装された基板と、
少なくとも一部が前記第１の開口部に収容され、前記第２の開口部から前記筐体の外部に露出されたレンズ部と、
前記筐体の内側から前記壁部に固定され、前記第１の開口部を塞いだ透光部材と、
を具備した防水構造。
【請求項３】
前記レンズ部を前記筐体に固定した防水性を有する第１の接着部をさらに具備した請求項２の防水構造。
【請求項４】
前記第１の接着部が、前記第１の開口部から前記筐体の外部までの間の少なくとも一部を塞いだ請求項３に記載の防水構造。
【請求項５】
前記透光部材を前記壁部に固定した防水性を有する第２の接着部をさらに具備した請求項２または４に記載の防水構造。
【請求項６】
前記第２の開口部が、前記第１の部材と前記第２の部材とによって形成された請求項２または５に記載の防水構造。
【請求項７】
前記筐体に、前記第１の開口部と前記第２の開口部との間をつなぐ中間部が設けられ、
前記レンズ部の一部が前記中間部に配置され、
前記第１の接着部が、前記中間部の少なくとも一部を塞いだ請求項６に記載の防水構造。
【請求項８】
前記中間部が、前記筐体の前記第１の部材と前記第２の部材とによって形成され、
前記第１の接着部の一部が前記第１の部材を前記第２の部材に固定した請求項７に記載の防水構造。
【請求項９】
前記基板に取り付けられ、前記電子部品が収容されるとともに前記第１の開口部に向いて開口した収容部が設けられ、前記透光部材を前記壁部に押圧する押圧部材をさらに具備した請求項２または８に記載の防水構造。
【請求項１０】
前記電子部品が発光する請求項２または９に記載の防水構造。
【請求項１１】
前記電子部品が光学センサである請求項２または９に記載の防水構造。
【手続補正２】
【補正対象書類名】明細書
【補正対象項目名】０００６
【補正方法】変更
【補正の内容】
【０００６】
一つの実施の形態に係る防水構造は、筐体と、基板と、レンズ部と、透光部材とを備える。前記筐体は、第１の開口部が設けられた壁部を有する第１の部材と、前記第１の部材に取り付けられて前記壁部の外部から前記第１の開口部を覆った第２の部材と、を有し、前記第１の開口部に通じるとともに前記筐体の外部に開口した第２の開口部が、少なくとも一部が前記第１の開口部からずれた位置で設けられる。前記基板は、前記筐体に収容され、前記第１の開口部に面した電子部品が実装される。前記レンズ部は、少なくとも一部が前記第１の開口部に収容され、前記第２の開口部から前記筐体の外部に露出される。前記透光部材は、前記筐体の内側から前記壁部に固定され、前記第１の開口部を塞ぐ。
【手続補正３】
【補正対象書類名】明細書
【補正対象項目名】０１１２
【補正方法】変更
【補正の内容】
【０１１２】
さらに、第１および第２の両面テープ７１，８５が中間部８１を完全に塞いでも良い。
また、第１の開口部７３と第２の開口部７８とが重なっていても良い。電子部品はＬＥＤ
９６のような発光する部品や照度センサ１１１のような光学センサに限らず、コネクタや
スピーカーのような他の部品であっても良い。
以下に、本願の出願当初の特許請求の範囲の内容を付記する。
［１］第１の開口部が設けられた壁部を有した第１の部材と、前記第１の部材に取り付けられて前記第１の開口部を覆った第２の部材と、を有し、前記第１の開口部に通じて外部に開口した第２の開口部が設けられた筐体と、
前記筐体に収容され、前記第１の開口部に面した電子部品が実装された基板と、
一方の端部が前記第１の開口部に収容され、他方の端部が前記第２の開口部から前記筐体の外部に露出されたレンズ部と、
前記レンズ部を前記筐体に固定するとともに、前記第１の開口部と前記第２の開口部との間に設けられて前記レンズ部の一部が配置された中間部の少なくとも一部を塞いだ防水性を有する第１の接着部と、
前記筐体の内側から前記第１の開口部を塞いだ透光部材と、
前記透光部材を前記壁部に固定した防水性を有する第２の接着部と、
を具備した防水構造。
［２］開口部が設けられた壁部を有した筐体と、
前記筐体に収容され、前記開口部に面した電子部品が実装された基板と、
少なくとも一部が前記開口部に収容され、前記筐体の外部に露出されたレンズ部と、
前記筐体の内側から前記壁部に固定され、前記開口部を塞いだ透光部材と、
を具備した防水構造。
［３］前記レンズ部を前記筐体に固定した防水性を有する第１の接着部をさらに具備した［２］の防水構造。
［４］前記第１の接着部が、前記開口部から前記筐体の外部までの間の少なくとも一部を塞いだ［３］に記載の防水構造。
［５］前記透光部材を前記壁部に固定した防水性を有する第２の接着部をさらに具備した［２］または［４］に記載の防水構造。
［６］前記開口部に通じるとともに前記筐体の外部に開口した他の開口部が、少なくとも一部が前記開口部からずれた位置で前記筐体に設けられ、
前記レンズ部が前記他の開口部から前記筐体の外部に露出された［２］または［５］に記載の防水構造。
［７］前記筐体が、前記壁部が設けられた第１の部材と、前記第１の部材に取り付けられて前記開口部を覆った第２の部材と、を有し、
前記他の開口部が、前記第１の部材と前記第２の部材とによって形成された［２］または［６］に記載の防水構造。
［８］前記筐体に、前記開口部と前記他の開口部との間をつなぐ中間部が設けられ、
前記レンズ部の一部が前記中間部に配置され、
前記第１の接着部が、前記中間部の少なくとも一部を塞いだ［７］に記載の防水構造。
［９］前記中間部が、前記筐体の前記第１の部材と前記第２の部材とによって形成され、
前記第１の接着部の一部が前記第１の部材を前記第２の部材に固定した［８］に記載の防水構造。
［１０］前記基板に取り付けられ、前記電子部品が収容されるとともに前記開口部に向いて開口した収容部が設けられ、前記透光部材を前記壁部に押圧する押圧部材をさらに具備した［２］または［９］に記載の防水構造。
［１１］前記電子部品が発光する［２］または［１０］に記載の防水構造。
［１２］前記電子部品が光学センサである［２］または［１０］に記載の防水構造。